(57)【特許請求の範囲】
【請求項１】
予め定められた制限時間内に規定本数の矢を的に向けて放ち、矢が刺さった領域に設定された得点の合計を競う吹き矢競技用の計時装置であって、
計時を開始させるための開始操作を受け付ける開始スイッチと、
競技を終了させるための終了操作を受け付ける終了スイッチと、
的に刺さらずに落ちた跳ね矢の処理を行うための中断操作を受け付ける跳ね矢スイッチと、
前記開始操作が行われた後、経過時間の計測を開始する計時手段と、
競技の進行に必要な合図を音声出力する合図報知手段と、
前記経過時間が前記制限時間に到達したことを報知する時間報知手段と、を有しており、
前記合図報知手段は、前記計時手段による経過時間の計測の開始と共に開始の合図を音声出力し、前記経過時間が前記制限時間に到達した後、前記終了操作の前に前記中断操作が行われた場合には跳ね矢処理を開始する旨の合図を音声出力すると共に、
前記経過時間が前記制限時間に到達した後、第１の終了操作により前記終了スイッチが操作された場合には終了の合図を音声出力する一方、前記経過時間が前記制限時間に到達する前に前記第１の終了操作により前記終了スイッチが操作されても前記終了の合図を音声出力せず、前記第１の終了操作とは異なる第２の終了操作により前記終了スイッチが操作されたときに前記終了の合図を音声出力し、
前記計時手段は、前記経過時間が前記制限時間に到達する前であっても、前記第２の終了操作が行われたときには前記経過時間の計測を終了するように構成されていることを特徴とする吹き矢競技用の計時装置。
【請求項２】
請求項１において、前記第２の終了操作は、前記第１の終了操作と、該第１の終了操作に後続する所定操作と、を組み合わせた操作であることを特徴とする吹き矢競技用の計時装置。
【請求項３】
請求項１又は２において、前記合図報知手段が出力する音声を取得して電気信号に変換するための手持ち用のマイクを取り付けるためのマイクスタンドが設けられていることを特徴とする吹き矢競技用の計時装置。
【請求項４】
請求項１〜３のいずれか１項において、前記計時手段では、前記開始操作が行われた後、前記経過時間の計測を開始するまでの遅延時間が設定されていることを特徴とする吹き矢競技用の計時装置。
【発明の詳細な説明】
【技術分野】
【０００１】
本発明は、吹き矢競技に利用する計時装置に関する。
【背景技術】
【０００２】
従来より、吹き筒と呼ばれる１ｍ程度の中空の筒に矢を込めて、片側の吹き口から息を吹き込んで空気圧で矢を飛ばす吹き矢が知られている。近年では、吹き矢をスポーツ競技として楽しむスポーツ吹き矢の愛好者が高齢者や子供などを中心に増えている（例えば特許文献１参照。）。スポーツ吹き矢は、同心円状に円形領域が設けられ中心近くの領域ほど高得点が設定された的を狙って矢を放つレクリエーションスポーツである。
【０００３】
スポーツ吹き矢の競技では、予め定められた制限時間内に規定本数の矢を放ち、的に刺さった矢の合計得点により勝敗が決まる。吹いた矢が的に刺さらずに地面に落ちることもあり、このように落ちた矢は跳ね矢として取り扱われ、競技中の跳ね矢は、吹き直しの対象になる。スポーツ吹き矢の競技では、規定本数の矢を上記の制限時間内に吹き終える必要がある一方、跳ね矢の吹き直しがある場合には制限時間が経過しても競技が終了せず、跳ね矢の吹き直しの完了後に競技が終了になる。一方、規定本数の矢を吹き終わり、全ての矢が跳ね矢にならずに的に刺さっていれば、制限時間の経過前であっても競技が終了する。
【０００４】
スポーツ吹き矢の的は、日本古来の武道に発祥する弓道の的に似通っており、競技形式についても弓道に共通する部分がある。スポーツ吹き矢の競技会では、例えば「用意。開始！」といった号令的な合図で競技が開始され、「おわり！」といった号令的な合図で競技が終了する。的を狙って矢を放つこと自体がスポーツ吹き矢の上達に有効であることから、数人の同好の志が寄り合ったときの練習はもとより、自宅での個人練習についても競技形式で行われることが多いという実状がある。
【先行技術文献】
【特許文献】
【０００５】
【特許文献１】特開２０１３−２４４１２８号公報
【発明の概要】
【発明が解決しようとする課題】
【０００６】
しかしながら、一人あるいは数人で競技形式で練習しようとしても競技会のような緊張感のある雰囲気を演出することは難しく、競技会のような雰囲気を演出するためには、開始の合図を発したり競技の経過時間を計測する専従の進行係が必要となってくるという問題がある。
【０００７】
本発明は、前記従来の問題点に鑑みてなされたものであり、吹き矢競技の進行に役立つ吹き矢競技用の計時装置を提供しようとするものである。
【課題を解決するための手段】
【０００８】
本発明は、予め定められた制限時間内に規定本数の矢を的に向けて放ち、矢が刺さった領域に設定された得点の合計を競う吹き矢競技用の計時装置であって、
計時を開始させるための開始操作を受け付ける開始スイッチと、
競技を終了させるための終了操作を受け付ける終了スイッチと、
的に刺さらずに落ちた跳ね矢の処理を行うための中断操作を受け付ける跳ね矢スイッチと、
前記開始操作が行われた後、経過時間の計測を開始する計時手段と、
競技の進行に必要な合図を音声出力する合図報知手段と、
前記経過時間が前記制限時間に到達したことを報知する時間報知手段と、を有しており、
前記合図報知手段は、前記計時手段による経過時間の計測の開始と共に開始の合図を音声出力し、前記経過時間が前記制限時間に到達した後、前記終了操作の前に前記中断操作が行われた場合には跳ね矢処理を開始する旨の合図を音声出力すると共に、
前記経過時間が前記制限時間に到達した後、第１の終了操作により前記終了スイッチが操作された場合には終了の合図を音声出力する一方、前記経過時間が前記制限時間に到達する前に前記第１の終了操作により前記終了スイッチが操作されても前記終了の合図を音声出力せず、前記第１の終了操作とは異なる第２の終了操作により前記終了スイッチが操作されたときに前記終了の合図を音声出力し、
前記計時手段は、前記経過時間が前記制限時間に到達する前であっても、前記第２の終了操作が行われたときには前記経過時間の計測を終了するように構成されていることを特徴とする吹き矢競技用の計時装置にある（請求項１）。
【発明の効果】
【０００９】
本発明の吹き矢競技用の計時装置は、競技の進行に必要な合図を音声出力する合図報知手段と、前記経過時間が予め設定された競技時間に到達したことを報知する時間報知手段と、を備えている。この計時装置は、前記開始操作に応じて、前記開始の合図を音声出力すると共に、経過時間の計測を開始する。
【００１０】
スポーツ吹き矢の競技は、前記経過時間が制限時間に到達したときに終了するとは限らない点に遊技進行上の特徴があり、前記経過時間が制限時間に到達する前であっても競技が終了する場合もある。本発明の吹き矢競技用の計時装置は、様々な競技終了のパターンに適切に対応可能である点に特徴を有している。特に、前記経過時間が制限時間に到達する前であるか後であるかに応じて終了操作を異ならせることで、誤操作を未然に回避しながら様々な終了パターンへの対応を可能としている。
【００１１】
本発明の吹き矢競技用の計時装置は、前記経過時間が制限時間に到達したときに前記時間報知手段によりその旨を報知する一方、前記終了の合図を音声出力するとは限らない。前記経過時間が制限時間に到達した際、前記第１の終了操作により終了スイッチが操作されたときに前記終了の合図を音声出力する。
【００１２】
前記制限時間の経過の報知を受けた利用者が、跳ね矢が無いことを確認した後で前記第１の終了操作を行えば、前記終了の合図を音声出力させて競技を終了できる。一方、跳ね矢がある場合には、前記中断操作を行うことで、前記跳ね矢処理を開始する旨の合図を音声出力させることができる。その後、跳ね矢の吹き直しが終了した後で前記第１の終了操作により終了スイッチを操作すれば、前記終了の合図により競技を終了できる。跳ね矢を生じることなく前記制限時間の経過前に規定本数の吹き矢を吹き終えた場合には、前記第２の終了操作により前記終了スイッチを操作すれば、前記終了の合図の音声出力と共に前記経過時間の計測を終了させて、競技を終了できる。
【００１３】
このように本発明の吹き矢競技用の計時装置は、吹き矢競技の様々な終了パターンに適切に対応可能であり、この計時装置を利用すれば、競技会のように競技を進行できる。この吹き矢競技用の計時装置は、例えば自宅での一人練習のときでも、数人の愛好者が寄り集まっての練習のときでも、競技会のような緊張感のある雰囲気の中で競技形式での練習に役立つ装置である。もちろん、この吹き矢競技用の計時装置は、本番の競技会にも利用可能である。
【図面の簡単な説明】
【００１４】
【図１】吹き矢競技用の計時装置を示す斜視図。
【図２】吹き矢競技用の計時装置の電気的な構成を示すブロック図。
【図３】吹き矢競技を概説する説明図。
【図４】吹き矢競技用の計時装置の動作を示すチャート図。
【図５】吹き矢競技用の計時装置にマイクを取り付けた様子を示す説明図。
【発明を実施するための形態】
【００１５】
本発明の好適な一態様の吹き矢競技用の計時装置における前記第２の終了操作は、前記第１の終了操作と、該第１の終了操作に後続する所定操作と、を組み合わせた操作である（請求項２）。
この場合には、矢を吹き終わったとき、前記制限時間が経過したか未経過かを意識せず、まずは、前記第１の終了操作を行うと良い。例えば前記経過時間が制限時間に到達しておらず制限時間が未経過の場合には、前記終了の合図が音声出力されないことから前記制限時間の未経過を把握でき、前記所定操作を後続して行うことで前記終了の合図を音声出力させることができる。
【００１６】
例えば、前記終了スイッチを１回操作する第１の終了操作に対して、前記終了スイッチの２回操作を第２の終了操作としても良い。例えば、押し込み位置を保持するラッチ機構のない操作ボタンである終了スイッチを押して離す第１の終了操作に対して、その終了スイッチを長押しする操作を第２の終了操作としても良い。
【００１７】
本発明における好適な一態様の吹き矢競技用の計時装置は、前記合図報知手段が出力する音声を取得して電気信号に変換するための手持ち用のマイクを取り付けるためのマイクスタンドが設けられている（請求項３）。
例えば愛好者の集まりであるサークル内で競技形式の練習を行ったり、愛好者のサークル同士で試合を行うような場合がある。このような場合でも本発明の吹き矢競技用の計時装置が有用である一方、参加人数が増えれば合図の音声出力が全ての人の耳に届かなくなるおそれが生じる。例えば公民館等で行われる上記のような集会等では手持ち用のマイクが利用されることが多い一方、前記マイクスタンドを設けた吹き矢競技用の計時装置であれば、その手持ち用のマイクを簡単に取り付けて音声出力を拡声できる。仮に拡声方法がライン出力であると、信号ラインを用意したりアンプに接続したり等の手間が生じる一方、マイクを装着するだけであれば、例えば高齢者や子供等であってもトラブルを招来することなく取り扱いできる。
【００１８】
本発明の好適な一態様の吹き矢競技用の計時装置の計時手段では、前記開始操作が行われた後、前記経過時間の計測を開始するまでの遅延時間が設定されている（請求項４）。  この場合には、例えば一人で競技形式の練習を行う際、前記開始操作を行った後、矢を吹く準備を整えた状態で前記開始の合図を待機できる。
前記計時手段が経過時間を計測中である旨を表示する表示手段を設けることも良い。表示手段があれば、経過時間の計測中か否かをひと目で把握できる。
【００１９】
（実施例１）
本例は、スポーツ吹き矢の競技進行を支援する吹き矢競技用の計時装置１に関する例である。この内容について、図１〜図５を用いて説明する。
本例の吹き矢競技用の計時装置１は、予め定められた制限時間内に規定本数の矢を的に向けて放ち、矢が刺さった領域に設定された得点の合計得点を競う吹き矢競技に用いられる。
図１のごとく、この吹き矢競技用の計時装置１は、計時を開始させるための開始操作を受け付ける開始スイッチ１１１と、競技を終了させるための終了操作を受け付ける終了スイッチ１１３と、的に刺さらずに落ちた跳ね矢の処理を行うための中断操作を受け付ける跳ね矢スイッチ１１２と、開始操作に応じて経過時間の計測を開始する計時手段と、競技の進行に必要な合図を音声出力する合図報知手段と、経過時間が制限時間に到達したことを報知する時間報知手段と、を有している。
【００２０】
合図報知手段は、経過時間の計測が開始されるときに開始の合図を音声出力し、経過時間が競技時間に到達した後、中断操作が行われた場合には、跳ね矢処理を開始する旨の合図を音声出力する。また、経過時間が制限時間に到達した後、第１の終了操作により終了スイッチ１１３が操作された場合には、終了の合図を音声出力する一方、経過時間が制限時間に到達する前に第１の終了操作により終了スイッチ１１３が操作されても終了の合図を音声出力しない。この場合は、第１の終了操作とは異なる第２の終了操作により終了スイッチ１１３が操作されたときに終了の合図を音声出力する。
計時手段は、経過時間が制限時間に到達する前であっても、第２の終了操作が行われたときには経過時間の計測を終了する。
以下に、この内容について詳しく説明する。
【００２１】
吹き矢競技用の計時装置１は、図１及び図２のごとく、箱状の筐体１０に電子回路基板２を収容した装置である。筐体１０の上面中央付近には、内部に収容されたスピーカ１５に対応するスピーカ孔１５０が設けられている。スピーカ孔１５０を長手方向に挟んだ一方の側には、マイクスタンド１６が立設され、他方の側には、表示部１２、１２５及び操作スイッチ１１１〜１１３が配設されている。また、図１に表れない側面には、動作電力を供給するためのＡＣアダプター２７１から延設されたプラグを接続するためのコネクタ（図示略）が設けられている。
【００２２】
マイクスタンド１６は、手持ち用のマイク（図５中の符号１５５）の持ち手を把持する把持部１６１と、把持部１６１を取り付ける取付部１６３と、により構成される。取付部１６３は筐体１０に固定され、把持部１６１は、取付部１６３に脱着可能に取り付けられる。把持部１６１を取り外せば、計時装置１がコンパクトになって持ち運びに便利になる。把持部１６１は、マイクの持ち手形状に応じて複数種類が用意されており、取り替えにより様々な持ち手形状のマイクに対応できる。
【００２３】
表示部としては、スピーカ孔１５０に隣接する位置の液晶表示部１２と、操作スイッチと一列をなすように配置されたＬＥＤ表示部１２５と、がある。液晶表示部１２は、動作状態を表す各種の文字情報を表示可能な表示部であり、液晶表示部１２のバックライト点灯により通電状態を表示する。ＬＥＤ表示部１２５は、点滅により計時中である旨を表示し、消灯により非計時中である旨を表示する。
【００２４】
操作スイッチは、筐体１０の矩形状の上面をなす短辺に沿って３つ配置されている。左側から順番に、開始スイッチ１１１、跳ね矢スイッチ１１２、終了スイッチ１１３が配置され、開始スイッチ１１１と跳ね矢スイッチ１１２との間隙に上記のＬＥＤ表示部１２５が配置されている。３つの操作スイッチ１１１〜１１３及びＬＥＤ表示部１２５は、ほぼ等間隔で配置されている。
【００２５】
各操作スイッチは、いずれも、押し込み位置の保持機構（ラッチ機構）を持たない押込みボタン型の操作スイッチである。各操作スイッチは、仕様が共通する一方、操作面をなすボタンキャップの色のみ相違している。開始スイッチ１１１のボタンキャップは黄色、跳ね矢スイッチ１１２は赤色、終了スイッチ１１３は黒色となっている。
【００２６】
電子回路基板２は、筐体１０の内部に収容され、計時装置１の機能を実現するための電子基板である。電子回路基板２には、演算機能、時計機能（計時手段をなすリアルタイムクロックによる機能）、液晶制御機能等の各種の機能を１チップ化したマイコン２０を中心として構成された電子回路が形成されている。マイコン２０には、上記の３つの操作スイッチ１１１〜１１３、ＬＥＤ表示部１２５、液晶表示部１２のほか、ＡＣアダプター２７１からの供給電力を元にしてマイコン２０等の動作電力を生成する電源回路２７、音声データを生成する音声発生モジュール２３１等が接続されている。この音声発生モジュール２３１は、デジタルアンプ２３３及びスピーカ１５と共に、合図報知手段及び時間報知手段を構成している。音声発生モジュール２３１が出力する音声データは、デジタルアンプ２３３で増幅されてスピーカ１５から音声出力される。
【００２７】
次に、吹き矢競技の概要を説明し、続けて上記のように構成された計時装置１の動作を説明する。
図３に例示するように吹き矢は、外径１６ｍｍ〜２２ｍｍ程度で全長１ｍ程度の細長い筒５１に矢５３を込めて、片側の吹き口（マウスピース）から吹き込んだ息の空気圧で矢を放つ道具である。道具としての吹き矢は、古来より狩猟道具や武器として使用されている。
【００２８】
図３では、弓道の的と似通った同心円状をなす的５０を例示している。この的５０では、直径６０ｍｍの円形領域の外周側に、直径１２０ｍｍまでの円環状領域、直径１８０ｍｍまでの円環状領域、直径２４０ｍｍまでの円環状領域が設定されている。得点は、中心に近いほど高く外周側ほど低くなっており、直径６０ｍｍの円形領域の７点を最高得点として、外側の各領域では、それぞれ、５点、３点、１点が設定されている。
【００２９】
スポーツ吹き矢の競技では、的から数ｍ離れた位置から放った矢が刺さった領域に応じて得点が与えられる。そして、例えば３分間の制限時間内に規定本数である５本の矢を放ったときの合計得点で競われる。競技中では、放った矢５３が的５０に刺さらずに床等に落ちてしまい跳ね矢となることもある。跳ね矢が生じた場合には、制限時間とは関係なく、跳ね矢の本数分の矢の吹き直しが行われる。
【００３０】
次に、吹き矢競技用の計時装置１を利用した競技進行について図４を用いて説明する。
競技を開始するに当たっては、開始スイッチ１１１を押し込む開始操作を実施する。この開始操作が行われると、計時装置１は、例えば５秒の遅延時間の後、「用意、開始！」の合図のアナウンス（音声出力）と共に、経過時間をゼロスタートで計測開始する。このとき、ＬＥＤ表示部１２５は、開始操作と同時に点灯し、経過時間の計測開始と共に点滅状態に切り換わる。
【００３１】
計時装置１は、その後、経過時間が制限時間である３分間の３０秒前になったとき「３０秒前！」とアナウンスし、３分が経過すると「３分経過！」とアナウンスすると共に経過時間の計測を終了して経過時間をゼロリセットし、ＬＥＤ表示部１２５を消灯させる。
【００３２】
経過時間が３分となって制限時間の３分間が満了したとき、跳ね矢の確認作業が行われる。規定本数である５本の矢が全て的に刺さっており、跳ね矢がないことを確認できた場合には、終了スイッチ１１３を１回押す第１の終了操作を実施すると良い。この第１の終了操作が行われると、計時装置１は、「終了！」のアナウンスを行う。
【００３３】
一方、規定本数である５本の矢のうちの何本かが跳ね矢となっている場合には、終了スイッチ１１３ではなく、跳ね矢スイッチ１１２を押すと良い。跳ね矢スイッチ１１２を押す中断操作が行われると、計時装置１は、「跳ね矢がありますので、しばらくお待ちください。」というアナウンスにより跳ね矢の吹き直しの機会を提供する。その後、跳ね矢の吹き直しが完了した後で、終了スイッチ１１３を１回押す第１の終了操作を実施すれば、上記と同様、計時装置１に「終了！」のアナウンスを行わせることができる。
【００３４】
経過時間が３分となる前に規定本数の５本の矢を吹き終わっており、全ての矢が的に刺さっているという進行状況が発生することもある。計時中であってＬＥＤ表示部１２５が点滅中のこの状況では、終了スイッチ１１３を１回押す第１の終了操作に続けてもう１回、終了スイッチ１１３を押す操作を行う第２の終了操作を行うことで、計時装置１に「終了！」のアナウンスを行わせ、経過時間の計測を終了させることができる。
【００３５】
以上のように構成された吹き矢競技用の計時装置１は、吹き矢競技の様々な終了パターンに適切に対応可能であり、この計時装置１を用いれば競技会のように競技を進行できる。この吹き矢競技用の計時装置１は、例えば自宅での一人練習のときにも、数人の愛好者が寄り集まっての練習のときにも、競技会のような緊張感のある雰囲気の中で競技形式での練習を可能にする装置である。
【００３６】
愛好者のサークル全体での競技形式の練習やサークル内で競技を行う場合等、参加人数が多い場合には、手持ち用のマイクを利用して司会者が司会進行を行うケースがある。このような状況で計時装置１を使用する場合には、図５に例示するように、筐体１０の上面に立設されたマイクスタンド１６にマイク１５５をセットすると良い。このようにマイク１５５をセットすれば、スピーカ１５のアナウンス音声をマイクで拾って拡声できる。
【００３７】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形、変更あるいは適宜組み合わせた技術を包含している。
【符号の説明】
【００３８】
１  吹き矢競技用の計時装置
１０  筐体
１１１  開始スイッチ
１１２  跳ね矢スイッチ
１１３  終了スイッチ
１２  液晶表示部
１２５  ＬＥＤ表示部
１５  スピーカ（合図報知手段、時間報知手段）
１６  マイクスタンド
２０  マイコン（計時手段）
【図１】
0006532381.tif 000002
【図２】
0006532381.tif 000003
【図３】
0006532381.tif 000004
【図４】
0006532381.tif 000005
【図５】
0006532381.tif 000006